(57)【要約】  セントラルノードに、移動局のハンドオーバにしたがって、ハンドオーバ元基地局またはハンドオーバ先基地局から送信され、ハンドオーバ元基地局およびハンドオーバ先基地局において、連続的に割り当てられたシーケンスナンバにしたがって、正しい順序に並べ替える順序補正手段を備え、基地局に、移動局から送信されたユーザデータパケットに対して、連続したシーケンスナンバを割り当てるシーケンスナンバ割り当て手段と、連続的にシーケンスナンバを割り当てたユーザデータパケットをセントラルノードに送信する送信手段とを備えることにより達成される。
2007116702.tif 000002
【特許請求の範囲】
【請求項１】
移動局のハンドオーバにしたがって、ハンドオーバ元基地局またはハンドオーバ先基地局から送信され、ハンドオーバ元基地局およびハンドオーバ先基地局において、連続的に割り当てられたシーケンスナンバにしたがって、正しい順序に並べ替える順序補正手段；
を備えることを特徴とするセントラルノード。
【請求項２】
請求項１に記載のセントラルノードにおいて：
前記シーケンスナンバは、前記基地局との間で定義されるフレームプロトコルのデータ単位に付与されているシーケンスナンバであることを特徴とするセントラルノード。
【請求項３】
請求項１に記載のセントラルノードにおいて：
前記シーケンスナンバは、前記基地局との間で定義されるＧＴＰ−ｕのデータ単位に付与されているシーケンスナンバであることを特徴とするセントラルノード。
【請求項４】
移動局から送信されたユーザデータパケットに対して、連続したシーケンスナンバを割り当てるシーケンスナンバ割り当て手段；
連続的にシーケンスナンバを割り当てたユーザデータパケットをセントラルノードに送信する送信手段；
を備え、
前記シーケンスナンバ割り当て手段は、前記移動局がハンドオーバを行う場合、ハンドオーバ元の基地局でユーザデータパケットに割り当てたシーケンスナンバを示す情報をハンドオーバ先の基地局に送信することを特徴とする基地局。
【請求項５】
請求項４に記載の基地局において：
前記シーケンスナンバを示す情報は、ハンドオーバ元の基地局で割り当てを行ったシーケンスナンバの次のシーケンスナンバであることを特徴とする基地局。
【請求項６】
請求項４に記載の基地局において、
前記シーケンスナンバ割り当て手段は、ハンドオーバ元の基地局からのシーケンスナンバを示す情報に基づいて、移動局から送信されたユーザデータパケットに対して、ハンドオーバ元の基地局において割り当てられたシーケンスナンバに連続するシーケンスナンバを割り当てることを特徴とする基地局。
【請求項７】
請求項４に記載の基地局において：
前記シーケンスナンバは、前記基地局との間で定義されるフレームプロトコルのデータ単位に付与されているシーケンスナンバであることを特徴とする基地局。
【請求項８】
請求項４に記載の基地局において：
前記シーケンスナンバは、前記基地局との間で定義されるＧＴＰ−ｕのデータ単位に付与されているシーケンスナンバであることを特徴とする基地局。
【請求項９】
ハンドオーバ元の基地局が、移動局から送信されたユーザデータパケットに対して、連続したシーケンスナンバを割り当てるシーケンスナンバ割り当てステップ；
ハンドオーバ元の基地局が、連続的にシーケンスナンバを割り当てたユーザデータパケットをセントラルノードに送信する送信ステップ；
ハンドオーバ元の基地局が、前記移動局にハンドオーバコマンドを送信するハンドオーバコマンド送信ステップ；
ハンドオーバ元の基地局が、受信したユーザデータパケットに割り当てたシーケンスナンバを示す情報をハンドオーバ先の基地局に送信するシーケンスナンバ送信ステップ；
を有することを特徴とするハンドオーバ制御方法。
【請求項１０】
請求項９に記載のハンドオーバ制御方法において：
ハンドオーバ先の基地局が、ハンドオーバ元の基地局から送信されたシーケンスナンバを示す情報に基づいて、移動局から送信されたユーザデータパケットに対して、ハンドオーバ元の基地局において割り当てられたシーケンスナンバに連続するシーケンスナンバを割り当てるシーケンスナンバ割り当てステップ；
ハンドオーバ先の基地局が、連続的にシーケンスナンバを割り当てたユーザデータパケットをセントラルノードに送信する送信ステップ；
セントラルノードが、ハンドオーバ元の基地局またはハンドオーバ先の基地局から送信されたユーザデータパケットを、連続的に割り当てられたシーケンスナンバにしたがって、正しい順序に並べ替える順序補正ステップ；
を有することを特徴とするハンドオーバ制御方法。
【発明の詳細な説明】
【技術分野】
【０００１】
本発明は、セントラルノードに接続された２つの基地局間で、ハンドオーバの際に送信データの順序を制御する技術に関し、特に、移動局からの送信データの順序制御を行うセントラルノードおよび基地局並びにハンドオーバ制御方法に関する。
【背景技術】
【０００２】
ＩＭＴ−２０００システムでは、ＵＥ（Ｕｓｅｒ  Ｅｑｕｉｐｍｅｎｔ）が、同一のＳＧＳＮ（Ｓｅｒｖｉｎｇ  ＧＰＲＳ  Ｓｕｐｐｏｒｔ  Ｎｏｄｅ）配下に接続された２つのＲＮＣ（Ｒａｄｉｏ  Ｎｅｔｗｏｒｋ  Ｃｏｎｔｒｏｌｌｅｒ）に接続されたＮｏｄｅＢ間を跨るハンドオーバ（リロケーション）が行なわれる。【０００３】
この場合、レイヤ２のサブレイヤ、例えば、ＰＤＣＰ（Ｐａｃｋｅｔ  Ｄａｔａ  Ｃｏｎｖｅｒｇｅｎｃｅ  Ｐｒｏｔｏｃｏｌ）で、ロスレスハンドオーバが実現される。このために、ハンドオーバ元の旧ＲＮＣからハンドオーバ先の新ＲＮＣに対して、新ＲＮＣとＵＥとの間で、プロトコルの状態同期、例えば、ＰＤＣＰのシーケンスナンバの同期が実施され、未受信のＰＤＣＰ  ＰＤＵ（Ｐｒｏｔｏｃｏｌ  Ｄａｔａ  Ｕｎｉｔ）が転送される。【０００４】
この時、旧ＲＮＣに蓄積されているＰＤＣＰ  ＰＤＵの転送が完了してから新ＲＮＣは、ＳＧＳＮに対して、ダウンリンクのUプレーンの開通を要求する。【０００５】
ＩＭＴ−２０００システムでは、ＲＮＣ−ＵＥで、ＲＬＣ（ｒａｄｉｏ  ｌｉｎｋ  ｃｏｎｔｒｏｌ）が終端されており、ＲＡＮ（Ｒａｄｉｏ  Ａｃｃｅｓｓ  Ｎｅｔｗｏｒｋ）内の"Ｉｎ−ｓｅｑｕｅｎｃｅ"は保証されている。
【非特許文献１】ＴＳ  ２５．３２３
【発明の開示】
【発明が解決しようとする課題】
【０００６】
しかしながら、上述した背景技術には以下の問題がある。【０００７】
現在３ＧＰＰで標準化が進められているＬＴＥ（Ｌｏｎｇ  Ｔｅｒｍ  Ｅｖｏｌｕｔｉｏｎ）システムでは、ＲＬＣ（Ｒａｄｉｏ  Ｌｉｎｋ  Ｃｏｎｔｒｏｌ）が基地局へ配置されることにより、ＵＥ−ｅＮｏｄｅ  ＢでのＩｎ−ｓｅｑｕｅｎｃｅのみ保証可能である。しかし、ＲＡＮ内全体の"Ｉｎ−ｓｅｑｕｅｎｃｅ"は、保証されていない。【０００８】
本発明は、この点を鑑みてなされたものであり、ハンドオーバの際に、上り方向のデータの順序を補正することができるセントラルノードおよび基地局並びにハンドオーバ制御方法を提供することを目的とする。
【課題を解決するための手段】
【０００９】
上記課題を解決するため、本発明のセントラルノードは、
移動局のハンドオーバにしたがって、ハンドオーバ元基地局またはハンドオーバ先基地局から送信され、
ハンドオーバ元基地局およびハンドオーバ先基地局において、連続的に割り当てられたシーケンスナンバにしたがって、正しい順序に並べ替える順序補正手段
を備えることを特徴の１つとする。【００１０】
このように構成することにより、上り方向のデータの順序補正を行うことができる。【００１１】
本発明の基地局は、
移動局から送信されたユーザデータパケットに対して、連続したシーケンスナンバを割り当てるシーケンスナンバ割り当て手段と、
連続的にシーケンスナンバを割り当てたユーザデータパケットをセントラルノードに送信する送信手段と
を備え、
前記シーケンスナンバ割り当て手段は、前記移動局がハンドオーバを行う場合、ハンドオーバ元の基地局でユーザデータパケットに割り当てたシーケンスナンバを示す情報をハンドオーバ先の基地局に送信することを特徴の１つとする。【００１２】
このように構成することにより、移動局がハンドオーバを行う際に、ハンドオーバ元の基地局からハンドオーバ先の基地局へ、例えばトランスポートネットワークプロトコルのシーケンスナンバを通知することができる。【００１３】
本発明のハンドオーバ制御方法は、
ハンドオーバ元の基地局が、移動局から送信されたユーザデータパケットに対して、連続したシーケンスナンバを割り当てるシーケンスナンバ割り当てステップと、
ハンドオーバ元の基地局が、連続的にシーケンスナンバを割り当てたユーザデータパケットをセントラルノードに送信する送信ステップと、
ハンドオーバ元の基地局が、前記移動局にハンドオーバコマンドを送信するハンドオーバコマンド送信ステップと、
ハンドオーバ元の基地局が、受信したユーザデータパケットに割り当てたシーケンスナンバを示す情報をハンドオーバ先の基地局に送信するシーケンスナンバ送信ステップと
を有することを特徴の１つとする。【００１４】
このようにすることにより、移動局がハンドオーバを行う際に、ハンドオーバ元の基地局からハンドオーバ先の基地局へ、例えばトランスポートネットワークプロトコルのシーケンスナンバを通知することができる。
【発明の効果】
【００１５】
本発明の実施例によれば、ハンドオーバの際に、上り方向のデータの順序を補正することができるセントラルノードおよび基地局並びにハンドオーバ制御方法を実現できる。
【図面の簡単な説明】
【００１６】
【図１】本発明の一実施例にかかる無線アクセスネットワークを示す説明図である。
【図２】本発明の一実施例にかかるアクセスゲートウェイを示すブロック図である。
【図３】本発明の一実施例にかかる基地局を示すブロック図である。
【図４】ＦＰデータフレームを示す説明図である。
【図５】本発明の一実施例にかかる無線アクセスネットワークの動作を示す説明図である。
【図６】本発明の一実施例にかかるアクセスゲートウェイの動作を示すフロー図である。
【図７】本発明の一実施例にかかる基地局の動作を示すフロー図である。
【図８】本発明の一実施例にかかる基地局の動作を示すフロー図である。
【符号の説明】
【００１７】
１００  無線アクセスネットワーク
２００  コアネットワーク
３００、３００１、３００２、３００３  アクセスゲートウェイ（ａＧＷ）
４００、４００１、４００２、４００３  基地局（ｅＮＢ：  ｅＮｏｄｅ  Ｂ）
５００  移動局（ＵＥ：  Ｕｓｅｒ  Ｅｑｕｉｐｍｅｎｔ）
【発明を実施するための最良の形態】
【００１８】
次に、本発明の実施例について図面を参照して説明する。
なお、実施例を説明するための全図において、同一機能を有するものは同一符号を用い、繰り返しの説明は省略する。【００１９】
本発明の実施例にかかる無線アクセスネットワークについて、図１を参照して説明する。【００２０】
本実施例にかかる無線アクセスネットワーク（ＲＡＮ：  Ｒａｄｉｏ  Ａｃｃｅｓｓ  Ｎｅｔｗｏｒｋ）は、セントラルノードとしてのアクセスゲートウェイ（ＡＣＧＷ：  ＡＣｃｅｓｓ  ＧａｔｅＷａｙ）３００と、アクセスゲートウェイ３００の配下に接続された基地局４００、例えば基地局４００１および基地局４００２と、移動局５００とを備える。アクセスゲートウェイ４００には、例えばＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイが含まれる。本実施例にかかる無線アクセスネットワーク１００においては、基地局４００１がハンドオーバ元の旧基地局（ソース基地局）、基地局４００２がハンドオーバ先の新基地局（ターゲット基地局）である場合について説明する。【００２１】
本実施例においては、無線アクセスネットワークに着目して説明する。しかし、実際の無線通信システムは、無線アクセスネットワーク１００以外の構成要素、例えば、コアネットワーク（ＣＮ：  Ｃｏｒｅ  Ｎｅｔｗｏｒｋ）などを含んで構成される。【００２２】
また、本実施例においては、２つの基地局がアクセスゲートウェイ３００を介して接続される場合について説明するが、これに限定されるべきではない。例えば、アクセスゲートウェイ３００の配下においてルータ、あるいはスイッチなどの中継装置を用いて接続するようにしてもよい。【００２３】
アクセスゲートウェイ３００と基地局４００との間では、ユーザデータを転送するためのＴＮＬプロトコルが定義され、このＴＮＬプロトコルのＰＤＵ（Ｐｒｏｔｏｃｏｌ  Ｄａｔａ  Ｕｎｉｔ）には、ＰＤＵ毎にシーケンスナンバが割当てられる。【００２４】
また、アクセスゲートウェイ３００と基地局４００との間では、データフレームを用いて、ユーザデータパケットの転送が行われ、データフレームを構成するためのプロトコル、例えば、フレームプロトコル（ＦＰ：  Ｆｒａｍｅ  Ｐｒｏｔｏｃｏｌ）が終端される。【００２５】
本実施例では、アクセスゲートウェイ３００と基地局４００との間で終端されるプロトコルの一例として、フレームプロトコルを適用した場合について説明するが、これに限定されるべきではない。例えば、フレームプロトコル以外のプロトコル、例えば、ＧＰＲＳ  トンネリング  プロトコル（ＧＴＰ：  ＧＰＲＳ  Ｔｕｎｎｅｌｉｎｇ  Ｐｒｏｔｏｃｏｌ）を用いてもよい。【００２６】
次に、本発明の実施例にかかるアクセスゲートウェイ３００について、図２を参照して説明する。【００２７】
本実施例にかかるアクセスゲートウェイ３００は、制御部３０２と、制御部３０２と接続された転送手段としての有線伝送部３０４、ＦＰ部３０６、およびデータ格納手段および順序補正手段としてのデータ格納順序補正部３０８とを備える。ＦＰ部３０６は、有線伝送部３０４およびデータ格納順序補正部３０８と、データの入出力を行う。【００２８】
制御部３０２は、アクセスゲートウェイが備える各機能エンティティに対し、制御行う。【００２９】
有線伝送部３０６は、ハンドオーバ元旧基地局４００１およびハンドオーバ先新基地局４００２からフレームプロトコルのデータフレームを受信し、ＦＰ部３０６に入力する。また、有線伝送部３０６は、フレームプロトコルのデータフレームを上位レイヤに送信する。【００３０】
ＦＰ部３０４は、有線伝送部３０６のより入力されたハンドオーバ元旧基地局４００１およびハンドオーバ先の新基地局４００２からフレームプロトコルのデータフレームに無線アクセスネットワーク特有の処理、例えばセキュリティのための秘匿、ヘッダ圧縮が施されたデータユニットに対し、該ＦＰデータフレームに格納されたシーケンスナンバを参照し、後述するデータ格納順序補正部３０８に格納する。また、上述したようにＧＴＰが適用される場合には、有線伝送部３０６より入力されたハンドオーバ元の旧基地局４００１およびハンドオーバ先の新基地局４００２からＧＴＰ ＰＤＵに格納されたシーケンスナンバを参照し、後述するデータ格納順序補正部３０８に格納するようにしてもよい。【００３１】
また、ＦＰデータフレームを構成するＰＤＵ毎に、該ＰＤＵに格納されたシーケンスナンバを参照し、後述するデータ格納順序補正部３０８に格納するようにしてもよい。【００３２】
データ格納順序補正部３０８は、ＦＰ部３０６から転送されたソース基地局４００１およびターゲット基地局４００２からのデータユニットの順序をシーケンスナンバ順に整列させ、整列したデータを格納する。例えば、データ格納順序補正部４１０は、バッファを備え、該バッファにはシーケンスナンバが予め指定されている（リオーダリングバッファ）。データ格納順序補正部４１０は、リオーダリングバッファ内の該当シーケンスナンバへＰＦデータフレームを格納する。また、データ格納順序補正部３０８は、入力されたＰＦデータフレームを上位レイヤに送信する。【００３３】
本実施例においては、ＰＤＣＰ  ＰＤＵと、フレームプロトコルのデータフレームは、１対１に対応とする場合について説明する。この場合、１フレームプロトコルデータフレームは１ＰＤＣＰ  ＰＤＵとなる。また、１ＦＰデータフレームが複数ＰＤＵを含むように構成してもよい。また、上述したようにＧＴＰが適用される場合には、ＩＰパケットとＧＴＰ  ＰＤＵは、１対１に対応とするようにしてもよいし、１ＧＴＰ  ＰＤＵが複数ＩＰパケットを含むように構成してもよい。【００３４】
次に、本実施例にかかる基地局４００について、図３を参照して説明する。【００３５】
本実施例にかかる基地局４００は、制御部４０２と、制御部４０２と接続された送信手段としての有線伝送部４０４、シーケンスナンバ割り当て手段としてのフレームプロトコル（ＦＰ）部４０６、シーケンスナンバ転送部４０８とを備える。ＦＰ部４０６は、シーケンスナンバ転送部４０８および有線伝送部４０４とデータの入出力を行う。シーケンスナンバ転送部４０８は、有線伝送部４０４とデータの入出力を行う。【００３６】
制御部４０２は、自基地局が備える各機能エンティティに対し、制御を行う。例えば、制御部４０２は、ハンドオーバプロシージャを起動する。【００３７】
有線伝送部４０４は、移動局５００から転送されてきたＰＦデータフレームをＦＰ部４０６へ入力する。また、有線伝送部４０４は、シーケンスナンバ通知部４０８から転送されたシーケンスナンバを示す情報をハンドオーバ先の新基地局へ転送する。また、有線伝送部４０４は、ソース基地局４００１から通知されたシーケンスナンバを示す情報をＦＰ部４０６に入力する。【００３８】
ＦＰ部４０６は、入力された各ＦＰデータフレームに対して、連続したシーケンスナンバを付与し、該シーケンスナンバを示す情報を該当するＦＰデータフレームに格納し、シーケンスナンバを格納したＦＰデータフレームをアクセスゲートウェイ３００に送信する。また、ＦＰ部４０６は、ソース基地局４００１から送信されたシーケンスナンバを示す情報に基づいて、ソース基地局４００１から送信されたシーケンスナンバに連続するシーケンスナンバを、入力された各ＰＦデータフレームに割り当て、該シーケンスナンバを示す情報を該当するＰＦデータフレームに格納する。また、ＦＰ部４０６は、ＰＦデータフレームに付与したシーケンスナンバを示す情報をシーケンスナンバ通知部４０８に入力する。また、上述したようにＧＴＰが適用される場合には、入力された各ＧＴＰ  ＰＤＵに対して、連続したシーケンスナンバを付与し、該シーケンスナンバを示す情報を該当するＧＴＰ  ＰＤＵに格納し、シーケンスナンバを格納したＧＴＰ  ＰＤＵをアクセスゲートウェイ３００に送信するようにしてもよい。また、ソース基地局４００１から送信されたシーケンスナンバを示す情報に基づいて、ソース基地局４００１から送信されたシーケンスナンバに連続するシーケンスナンバを、入力された各ＧＴＰ  ＰＤＵに割り当て、該シーケンスナンバを示す情報を該当するＧＴＰ  ＰＤＵに格納するようにしてもよい。また、ＧＴＰ  ＰＤＵに付与したシーケンスナンバを示す情報をシーケンスナンバ通知部４０８に入力するようにしてもよい。【００３９】
シーケンスナンバ通知部４０８は、入力されたシーケンスナンバを示す情報に基づいて、ハンドオーバ先基地局４００２に対し、移動局が送信したデータパケットに割り当てるシーケンスナンバを示す情報、例えば、自基地局４００１において割り当てたシーケンスナンバの次のシーケンスナンバを示す情報を、ターゲット基地局４００２に通知する。このようにすることにより、ターゲット基地局４００２に対し、ＰＦデータフレームに付与すべきシーケンスナンバを通知することができる。【００４０】
次に、本実施例にかかるＦＰデータフレームについて、図４を参照して説明する。【００４１】
本実施例にかかるＦＰデータフレームは、ヘッダ部、ペイロード部およびトレイラ部から構成される。【００４２】
ヘッダ部には、少なくともシーケンスナンバが含まれる。ヘッダ部には、シーケンスナンバ以外に、基地局４００で、ユーザデータのプライオリティを認識するためのプライオリティ情報や、将来の機能拡張を想定し、スペアビットに割当てるようにしてもよい。例えば、ヘッダ部には、優先制御フラグ、例えばＳＡＥ  Ａｃｃｅｓｓ  Ｂｅａｒｅｒ識別子が格納される。【００４３】
ペイロード部には、少なくとも１以上のＰＤＣＰ  ＰＤＵが含まれる。【００４４】
トレイラ部には、ＦＰデータフレームの誤りをチェックするためのＣＲＣ（Ｃｙｃｌｉｃ  Ｒｅｄｕｎｄａｎｃｙ  Ｃｈｅｃｋ）が含まれる。また、トレイラ部には将来の機能拡張を想定し、スペアビットに割当てるようにしてもよい。【００４５】
ここで、本実施例において説明したデータフレームの構成は、一例であり、これに限定されるものではない。【００４６】
また、上述したようにＧＴＰが適用される場合には、ヘッダ部には、少なくともシーケンスナンバが含まれる。ヘッダ部には、シーケンスナンバ以外に、基地局４００で、ベアラを識別するためのＴＥ−ＩＤを含んで構成しても良い。ヘッダを拡張できる構成としても良い。
ペイロード部には、少なくとも１以上のＩＰパケットが含まれる。【００４７】
次に、本実施例にかかるアクセスゲートウェイ３００の動作について、図５を参照して説明する。【００４８】
一例として、移動局５００がソース基地局４００１のカバーするエリアからターゲット基地局４００２のカバーするエリアにハンドオーバする場合について説明する。【００４９】
例えば、移動局５００は、ソース基地局４００１に対して、シーケンスナンバ（ＳＮ）が＃１から＃５に対応するＦＰを送信した後、ターゲット基地局４００２のカバーするエリアにハンドオーバする（１）。【００５０】
この場合、ソース基地局４００１は、ＦＰにシーケンスナンバとして＃１から＃５まで割り当て、該シーケンスナンバを示す情報を該当するＦＰに格納し、アクセスゲートウェイ３００に送信する（２）。また、ソース基地局４００１は、ターゲット基地局４００２に対し、ハンドオーバ先基地局４００２に対し、移動局が送信したデータパケットに割り当てるシーケンスナンバを示す情報、例えば、自ソース基地局４００１が割り当てたシーケンスナンバの次のシーケンスナンバを示す情報を、ターゲット基地局４００２に対して通知する（３）。例えば、コンテキストトランスファにより通知される情報に、該シーケンスナンバを示す情報を含める。【００５１】
移動局５００は、ターゲット基地局４００２に対して、シーケンスナンバが＃６以降に対応するＦＰを送信する。【００５２】
ターゲット基地局４００２は、通知されたシーケンスナンバを示す情報に基づいて、ソース基地局において割り当てられたシーケンスナンバに連続するシーケンスナンバを、受信したＦＰに対して割り当て、該シーケンスナンバを示す情報を該当するＦＰに格納し、送信する。例えば、ターゲット基地局４００２は、通知されたシーケンスナンバを示す情報に基づいて、ＦＰにシーケンスナンバとして＃６以降を割り当て、アクセスゲートウェイ３００に送信する（４）。【００５３】
アクセスゲートウェイ３００は、ソース基地局４００１およびターゲット基地局４００２から送信されたＦＰを受信し、該ＦＰに格納された、ソース基地局およびターゲット基地局において、連続的に割り当てられたシーケンスナンバに基づいて、ＦＰの順序の補正を行う。全てのシーケンスナンバに対応するＦＰが受信された場合、上位レイヤに送信する（５）。【００５４】
この場合、例えば、ソース基地局４００１とアクセスゲートウェイ３００との間の回線が輻輳しており、ソース基地局４００１から送信された＃５に対応するＦＰ（ＰＤＵ）より、ターゲット基地局４００２から送信された＃６に対応するＰＤＵが先にアクセスノード３００に受信されることがある。この場合、アクセスゲートウェイ３００は、予め決定された時間、受信されていないシーケンスナンバに対応するＰＤＵが受信されるまで待機する。予め決定された時間が経過しても、該ＰＤＵが受信されない場合、そのまま上位レイヤに送信する。【００５５】
次に、アクセスゲートウェイ３００の動作について、図６を参照して説明する。【００５６】
アクセスゲートウェイ３００のＦＰ部３０６は、ソース基地局４００１およびターゲット基地局４００２からＦＰデータフレームを受信したか否かを判断する（ステップＳ６０２）。【００５７】
ソース基地局４００１およびターゲット基地局４００２からＦＰデータフレームを受信していない場合（ステップＳ６０２：ＮＯ）、当該処理を終了する。【００５８】
一方、ソース基地局４００１およびターゲット基地局４００２からＦＰデータフレームを受信した場合（ステップＳ６０２：ＹＥＳ）、ＦＰ部３０６はデータ格納順序補正部３０８のリオーダリングバッファ内の該当シーケンスナンバへ、ＰＦデータフレームに含まれるＰＤＵを格納する（ステップＳ６０４）。次に、データ格納順序補正部３０８は、リオーダリングバッファ内のシーケンスナンバに格納されていないＰＤＵがあるか否かを判断する（ステップＳ６０６）。【００５９】
リオーダリングバッファ内のシーケンスナンバに格納されていないＰＤＵがある場合（ステップＳ６０６：ＹＥＳ）、データ格納順序補正部３０８は、例えばタイマを起動し、所定の時間が経過したか否かを判断する（ステップＳ６０８）。【００６０】
所定の時間が経過していない場合（ステップＳ６０８：ＮＯ）、ステップＳ６０６に戻る。【００６１】
一方、所定の時間が経過した場合（ステップＳ６０８：ＹＥＳ）およびステップＳ６０６において、オーダリングバッファ内のシーケンスナンバに格納されていないＰＤＵがないと判断された場合（ステップＳ６０６：ＮＯ）、データ格納順序補正部３０８は、格納したＰＤＵを上位レイヤに送信する（ステップＳ５１０）。【００６２】
本実施例においては、一例としてプロトコルデータユニット毎にＦＰデータフレームを作成する場合について説明したが、これに限定されるものではない。【００６３】
次に、本実施例にかかる基地局４００の動作について、図７および図８を参照して説明する。【００６４】
ここでは、ハンドオーバ元の旧基地局４００１、ハンドオーバ先の新基地局４００２に分けてその動作を説明する。【００６５】
ハンドオーバ元の旧基地局４００１の動作フローについて、図７を参照して説明する。【００６６】
基地局４００１の制御部４０２は、移動局から送信されたメジャメントレポートに基づいて所定の処理を行い、移動局５００へ、ハンドオーバコマンド（ＨＯ  Ｃｏｍｍａｎｄ）を送信する（ステップＳ７０２）。その結果、移動局５００はハンドオーバを行う。【００６７】
次に、ＦＰ部４０６は、移動局５００から送信されたＰＤＵに対して、連続したシーケンスナンバを割り当て、該シーケンスナンバを示す情報を該当するＰＤＵに格納する（ステップＳ７０４）。【００６８】
次に、ＦＰ部４０６は、シーケンスナンバを格納したＰＤＵからＦＰデータフレームを作成し、アクセスゲートウェイ３００に送信する（ステップＳ７０６）。また、上述したようにＧＴＰが適用される場合には、シーケンスナンバを格納したユーザデータからＧＴＰ  ＰＤＵが作成されるようにしてもよい。【００６９】
次に、ＦＰ部４０６は、受信したＰＤＵに対して、シーケンスナンバの割り当てが終了したか否か判断する（ステップＳ７０８）。【００７０】
受信したＰＤＵに対して、シーケンスナンバの割り当てが終了しない場合（ステップＳ７０８：ＮＯ）、ステップＳ７０４に戻る。【００７１】
一方、受信したＰＤＵに対して、シーケンスナンバの割り当てが終了した場合（ステップＳ７０８：ＹＥＳ）、ＦＰ部４０６は、割り当てたシーケンスナンバを示す情報をシーケンスナンバ通知部４０８に入力する。シーケンスナンバ通知部４０８は、入力されたシーケンスナンバを示す情報に基づいて、ハンドオーバ先基地局４００２に対し、移動局５００が送信したデータパケットに割り当てるシーケンスナンバを示す情報、例えば、自ソース基地局４００１が割り当てたシーケンスナンバの次のシーケンスナンバを示す情報を、ターゲット基地局４００２に通知する（ステップＳ７１０）。【００７２】
次に、ハンドオーバ先の新基地局４００２の動作フローについて、図８を参照して説明する。【００７３】
制御部４０２は、移動局５００からチャネル設定完了通知が通知されたか否かを判断する（ステップＳ８０２）。【００７４】
移動局５００からチャネル設定完了通知が通知されていない場合（ステップＳ８０２：ＮＯ）、ステップＳ８０２に戻る。【００７５】
一方、移動局５００からチャネル設定完了通知が通知された場合（ステップＳ８０２：ＹＥＳ）、ＦＰ部４０６は、ソース基地局４００１からシーケンスナンバを示す情報を受信したか否かを判断する（ステップＳ８０４）。【００７６】
ソース基地局４００１からシーケンスナンバを示す情報を受信していない場合（ステップＳ８０４：ＮＯ）、ステップＳ８０４に戻る。【００７７】
一方、ソース基地局４００１からシーケンスナンバを示す情報を受信した場合（ステップＳ８０４：ＹＥＳ）、ＦＰ部４０６は、シーケンスナンバを示す情報に基づいて、受信したＰＤＵに対して、シーケンスナンバを割り当てる（ステップＳ８０６）。例えば、ＦＰ部４０６は、ソース基地局４００１からのシーケンスナンバを示す情報に基づいて、移動局から送信されたユーザデータパケットに対して、ソース基地局４００１において割り当てられたシーケンスナンバに連続するシーケンスナンバを割り当て、該シーケンスナンバを示す情報を該当するユーザデータパケットに格納する。【００７８】
次に、ＦＰ部４０６は、シーケンスナンバを格納したＰＤＵからＦＰデータフレームを作成し、アクセスゲートウェイに送信する（ステップＳ８０８）。【００７９】
本発明の実施例によれば、移動局がハンドオーバを行なう際に、ハンドオーバ元の基地局からハンドオーバ先の基地局へトランスポートネットワークプロトコルのシーケンスナンバを通知することにより、上り方向のデータをセントラルノードで順序補正することができる。【００８０】
また、正しい順序で、上位プロトコルへデータを転送することができることにより、上位の特性劣化を抑えることができる。【００８１】
本国際出願は、２００６年３月２８日に出願した日本国特許出願２００６−０８９４２５号に基づく優先権を主張するものであり、２００６−０８９４２５号の全内容を本国際出願に援用する。
【産業上の利用可能性】
【００８２】
本発明にかかるセントラルノードおよび基地局並びにハンドオーバ制御方法は、無線通信システムに適用できる。
【図１】
2007116702.tif 000003
【図２】
2007116702.tif 000004
【図３】
2007116702.tif 000005
【図４】
2007116702.tif 000006
【図５】
2007116702.tif 000007
【図６】
2007116702.tif 000008
【図７】
2007116702.tif 000009
【図８】
2007116702.tif 000010
【国際調査報告】
2007116702.tif 000011
2007116702.tif 000012
2007116702.tif 000013